(57)【特許請求の範囲】
【請求項１】
畦形成部を有する作業機本体と、
液体を散布する散布ノズルを有する散布手段と、
この散布手段からの液体の散布量を設定する設定操作手段と、
前記散布手段を制御して液体の散布量を調整する制御手段とを備え、
前記制御手段は、液体の散布開始の指令を受けたと判断した場合に、前記散布手段を制御して、調整可能な範囲内での最大散布量で液体を所定時間散布させた後、前記設定操作手段による設定散布量で液体を散布させる
ことを特徴とする畦塗り機。
【請求項２】
作業機本体は、一の動作により作業状態になり、この一の動作と異なる他の動作により非作業状態になり、
制御手段は、前記作業機本体が非作業状態になったと判断した場合に、散布手段を制御して液体の散布を自動停止し、前記作業機本体が非作業状態から作業状態になったと判断した状態で液体の散布開始の指令を受けたと判断した場合に、前記散布手段を制御して、調整可能な範囲内での最大散布量で液体を所定時間散布させた後、前記設定操作手段による設定散布量で液体を散布させる
ことを特徴とする請求項１記載の畦塗り機。
【発明の詳細な説明】
【技術分野】
【０００１】
本発明は、散布ノズルから畦形成部に向けて散布される液体の散布量を調整できる畦塗り機に関する。
【背景技術】
【０００２】
従来、この種の畦塗り機は、走行車に連結され盛土部および畦形成部を有する作業機本体と、ポンプをアクチュエータにより作動させて散布ノズルから作業機本体の畦形成部に向けて液体を散布する散布手段と、この散布手段からの散布量を設定する設定操作手段と、散布手段からの液体の散布量を設定操作手段により設定された散布量に調整する制御手段とを備えた畦塗り機が知られている（例えば、特許文献１参照。）。
【先行技術文献】
【特許文献】
【０００３】
【特許文献１】特開２００９−８２０５０号公報（図１）
【発明の概要】
【発明が解決しようとする課題】
【０００４】
畦塗り機においては、作業機本体を上方へと回動させて一旦非作業状態とした状態とすることがあり、この状態で放置すると、畦塗り作業時に散布ノズルに付着した土が固まって散布ノズルを詰まらせるおそれがある。
【０００５】
しかしながら、上述の畦塗り機では、散布ノズルに土が詰まった際、この散布ノズルを分解して土を除去したり、設定操作手段により液体の散布量を調整可能な最大散布量へと手動で調整して土を除去したりすることしかできない。このような場合、散布ノズルに土が詰まる度に分解作業および再組立作業が必要になったり、手動で液体の散布量を最大に調整した後、所望の液体の散布量へと再度手動で戻すような煩雑な作業が必要になったりする等、作業性が低下するという問題点を有している。
【０００６】
本発明は、このような点に鑑みなされたもので、作業性を低下させることなく散布ノズルの土詰まりを解消できる畦塗り機を提供することを目的とする。
【課題を解決するための手段】
【０００７】
請求項１記載の畦塗り機は、畦形成部を有する作業機本体と、液体を散布する散布ノズルを有する散布手段と、この散布手段からの液体の散布量を設定する設定操作手段と、前記散布手段を制御して液体の散布量を調整する制御手段とを備え、前記制御手段は、液体の散布開始の指令を受けたと判断した場合に、前記散布手段を制御して、調整可能な範囲内での最大散布量で液体を所定時間散布させた後、前記設定操作手段による設定散布量で液体を散布させるものである。
【０００８】
請求項２記載の畦塗り機は、請求項１記載の畦塗り機において、作業機本体は、一の動作により作業状態になり、この一の動作と異なる他の動作により非作業状態になり、制御手段は、前記作業機本体が非作業状態になったと判断した場合に、散布手段を制御して液体の散布を自動停止し、前記作業機本体が非作業状態から作業状態になったと判断した状態で液体の散布開始の指令を受けたと判断した場合に、前記散布手段を制御して、調整可能な範囲内での最大散布量で液体を所定時間散布させた後、前記設定操作手段による設定散布量で液体を散布させるものである。
【発明の効果】
【０００９】
請求項１記載の発明によれば、制御手段は、液体の散布開始の指令を受けたと判断した場合に、散布手段を制御して、調整可能な範囲内での最大散布量で液体を所定時間自動的に散布させるため、作業性を低下させることなく散布ノズルの土詰まりを解消できるとともに、この土詰まりを解消した後、設定操作手段による設定散布量で液体を散布することにより、散布ノズルから散布される液体の散布量を調整できる。
【００１０】
請求項２記載の発明によれば、制御手段は、作業機本体が非作業状態から作業状態になったと判断した状態で液体の散布開始の指令を受けたと判断した場合に、散布手段を制御して、調整可能な範囲内での最大散布量で液体を所定時間散布させるため、より適切なタイミングで散布ノズルの土詰まりを効果的に解消できるとともに、作業機本体が非作業状態になったと判断した場合に、散布手段を制御して液体の散布を自動停止するため、作業機本体の非作業状態時に散布手段が無駄に液体の散布をし続けることを防止できる。
【図面の簡単な説明】
【００１１】
【図１】本発明の一実施の形態に係る畦塗り機の作業状態の平面図である。
【図２】同上畦塗り機の非作業状態の平面図である。
【図３】同上畦塗り機のブロック図である。
【図４】同上畦塗り機の設定操作手段の正面図である。
【図５】同上畦塗り機の制御を示すフローチャートである。
【図６】本発明の他の実施の形態に係る畦塗り機の作業状態時の側面図である。
【図７】同上畦塗り機の非作業状態時の側面図である。
【発明を実施するための形態】
【００１２】
本発明の一実施の形態を図面を参照して説明する。
【００１３】
図１ないし図３において、１は畦塗り機で、この畦塗り機１は、図示しない走行車であるトラクタの後部の３点リンクヒッチ部（作業機昇降支持装置）に連結されトラクタの走行により圃場の畦に沿って進行方向前方に移動しながら畦塗り作業をするものである。
【００１４】
畦塗り機１は、トラクタの３点リンクヒッチ部に連結される機枠２と、機枠２に前端部が上下方向の軸部３を中心として回動可能に取り付けられた互いに平行な２本の回動アーム４と、回動アーム４の後端部に上下方向の軸部５を中心として回動可能に取り付けられた回動機枠６と、この回動機枠６と機枠２との間に接続され回動機枠６を機枠２に対して左右方向に平行移動させる駆動手段７と、回動機枠６と機枠２との間に接続された伸縮可能なロック装置８と、回動機枠６にて支持され進行方向前方に移動しながら畦塗り作業をする作業手段９とを備えた作業機本体10を有している。
【００１５】
機枠２は、トラクタの３点リンクヒッチ部に連結される３点連結部11を有している。３点連結部11は、トラクタの３点リンクヒッチ部にクイックカプラ等を介して回動可能に連結されるトップマスト12および左右１対２本のロワアーム13等にて構成されている。また、機枠２は軸支部14を有し、この軸支部14にて前後方向の入力軸15が回転可能に支持されている。入力軸15はトラクタのＰＴＯ軸に対して、ジョイントおよび伝動シャフト等にて構成された動力伝達手段（図示せず）により接続されている。
【００１６】
駆動手段７は、例えば電動油圧シリンダ等で、筒状のシリンダ本体17と、このシリンダ本体17内に出入りするロッド18とを有し、このロッド18の先端部は機枠２に上下方向の軸19を中心として回動可能に連結されている。シリンダ本体17の基端部は、回動機枠６に一方の軸部５と同軸状の軸20を中心として回動可能に連結されている。
【００１７】
ロック装置８は、基端部が他方の軸部５に、先端部が軸支部14に、それぞれ回動可能に連結されている。そして、このロック装置８は、図１に示す作業状態では収縮されており、図２に示す非作業状態では伸張された状態で固定されることにより作業機本体10を固定する。
【００１８】
作業手段９は、所定方向に回転しながら田面および元畦の側面を切削して元畦上に土を盛り上げる盛土用ロータリ等の盛土手段21と、盛土手段21にて盛り上げられた土である盛土を所定方向に回転しながら締め固めて新畦を形成するディスク等の畦形成部としての畦形成手段22とを有している。盛土手段21の上方部はロータリカバー23にて覆われ、畦形成手段22の上方部はディスクカバー24にて覆われている。
【００１９】
盛土手段21は、入力軸15に接続した動力伝達手段側から動力を受けて回転する回転軸25と、この回転軸25の爪ホルダ部に脱着可能に取り付けられ回転軸25とともに回転して元畦上に土を盛り上げる複数の切削爪26とを有している。
【００２０】
畦形成手段22は、入力軸15に接続した動力伝達手段側から動力を受けて回転する左右方向の回転軸（図示せず）と、この回転軸に取り付けられこの回転軸とともに回転して盛土を締め固めて新畦の傾斜状の側面を形成する略円錐台状の側面形成体28と、回転軸に取り付けられ回転軸とともに回転して盛土を締め固めて新畦の水平状の上面を形成する略円筒状の上面形成体29とを有している。
【００２１】
また、畦塗り機１は、畦水分調節および畦形成手段22への土付着防止のために、畦形成手段22の側面形成体28の表面および上面形成体29の表面に向けて液体を散布する散布手段31を備えている。なお、液体は、例えば水であるが、液状の有機肥料、或いは液状の除草剤等の薬剤でもよい。
【００２２】
散布手段31は、図１ないし図４に示されるように、水等の液体を貯留するタンク32と、タンク32内の液体を吸い込んで高圧にして吐出するポンプ33と、ポンプ33を作動させる電動モータ等のアクチュエータ34と、一端側がポンプ33に接続され他端側が畦形成手段22と対向して位置する可撓性のパイプ等の配管35と、配管35の他端側に固定して取り付けられ畦形成手段22の後方に位置しポンプ33の作動により配管35内を流れてくる液体を畦形成手段22に向けて散布する同一形状の複数、例えば２つの散布ノズル36とを有している。
【００２３】
タンク32および配管35は、回動機枠６に固着された支持フレーム38にて支持されている。また、ポンプ33は、例えばプランジャポンプやピストンポンプ等の往復ポンプ、或いはベーンポンプや歯車ポンプ等の回転ポンプ等である。
【００２４】
２つの散布ノズル36，36のうちの一方の散布ノズル36は畦形成手段22の側面形成体28の表面と対向して位置し、その側面形成体28の表面に向けて液体を散布する。他方の散布ノズル36は畦形成手段22の上面形成体29の表面と対向して位置し、その上面形成体29の表面に向けて液体を散布する。なお、図１に示されるように、一方の散布ノズル36は平面視で側面形成体28の左右方向に対して傾斜する方向に沿った後端縁28aの略中央と対向する位置に配置され、他方の散布ノズル36は平面視で上面形成体29の左右方向に沿った後端縁29aの略中央と対向する位置に配置されている。
【００２５】
さらに、畦塗り機１は、散布ノズル36から散布される液体の散布量を設定する設定操作手段41と、この設定操作手段41の設定に応じて散布手段31のアクチュエータ34を制御して液体の散布量を調整するコントローラ等の制御手段42とを備えている。
【００２６】
設定操作手段41は、図４に示すように、例えば制御手段42に接続コード43を介して接続された操作ボックスで、トラクタの運転席に座った作業者が操作可能な位置に配置されている。また、設定操作手段41は、正面視で略矩形状のボックス本体部45を有し、このボックス本体部45には、電源のオンオフを切り換える切換スイッチ等の指令入力部である電源用切換操作部46および電源のオン時に点灯するランプ47が設けられている。また、ボックス本体部45には、アクチュエータ34によるポンプ33の作動速度（往復速度、回転速度等）を設定する回動操作可能な操作摘み等の作動速度設定操作部48が設けられている。ボックス本体部45の表面には、ポンプ33の作動速度を示すための数字等の目盛りが付されている。そして、設定操作手段41の作動速度設定操作部48の設定によって、散布ノズル36から散布される液体の散布量を無段階に調整できるようになっている。
【００２７】
制御手段42は、アクチュエータ34を例えばＰＷＭ（Pulse Width Modulation）制御するものであり、設定操作手段41の作動速度設定操作部48により設定された作動速度を得るためのデューティ比によりアクチュエータ34を作動させることが可能となっている。また、この制御手段42は、例えば機枠２の軸部３等に固定的に取り付けられた検知手段49に基づき、作業機本体10が図１に示す作業状態になっているか、図２に示す非作業状態になっているかを判断することが可能となっている。さらに、この制御手段42は、例えば計時手段であるタイマ（図示せず）を内蔵している。なお、このタイマは、例えば制御手段42の外部に設けて制御手段42と電気的に接続してもよい。
【００２８】
検知手段49は、例えば回動アーム４の軸に接続されたポテンショメータ等であり、回動アーム４（回動機枠６）の回動角度αに対応した抵抗値を設定することにより、制御手段42が作業機本体10の回動角度を検知可能に構成されている。なお、この検知手段49は、例えば角度センサ（傾斜センサ）等でもよい。
【００２９】
そして、制御手段42、ポンプ33およびアクチュエータ34は、回動機枠６に固着された収容ケース50内に収容されている。
【００３０】
次に、畦塗り機１の作用等を図５のフローチャートも参照して説明する。
【００３１】
畦塗り機１をトラクタの３点リンクヒッチ部に連結し、駆動手段７のロッド18をシリンダ本体17に対して伸長させることにより、つまり、駆動手段７の伸長に基づく右方回動（一の動作）により回動機枠６を回動アーム４，４を介して機枠２に対して側方へと突出させるように回動させて作業機本体10を作業状態とし、トラクタの走行により畦塗り機１を元畦に沿って移動させる。
【００３２】
畦塗り機１が元畦に沿って移動すると、盛土手段21の切削爪26によって田面および元畦の側面等が切削され、この切削土が盛土となって元畦上に盛り上げられ、その盛土が畦形成手段22の側面形成体28および上面形成体29によって締め固められ、新畦が形成される。
【００３３】
この畦塗り作業時に、作業者が設定操作手段41の電源用切換操作部46を操作して電源がオンされたかどうかを制御手段42が判断する（ステップ１）。ここで、電源がオンされていないと判断した場合にはステップ１のループを繰り返し、電源がオンされていると判断した場合（第１開始指令）には、次のステップ２に進む。なお、この電源オンと同時にランプ47が点灯する。
【００３４】
続いて、作業機本体10が駆動手段７の伸張により作業状態となっているかどうかを制御手段42が判断する（ステップ２）。この判断は、回動アーム４（回動機枠６）の回動角度αに対応して設定される検知手段49の抵抗値に基づいて制御手段42が判断することにより行われる。ここで、作業機本体10が作業状態になっていないと判断した場合には、ステップ２のループを繰り返す。
【００３５】
また、ステップ２において作業機本体10が作業状態になっていると判断した場合（第２開始指令）には、制御手段42には、第１開始指令および第２開始指令がともに入力されている状態、すなわち散布開始の指令を受けた状態となるため、この制御手段42が設定操作手段41の作動速度設定操作部48の回動操作により設定されたポンプ33の作動速度に拘らず、調整可能な範囲内での最大散布量、ここではデューティ比（オンデューティ）が１００％の状態でＰＷＭ制御によりアクチュエータ34を作動させ、このアクチュエータ34によりポンプ33を作動させる。この結果、タンク32内の液体が配管35内を流れて各散布ノズル36のノズル開口から勢いよく吐出され、散布ノズル36のノズル開口の土詰まりを解消する（クリーニング動作、ステップ３）。
【００３６】
そして、クリーニング動作の開始からタイマのタイムアップまでの所定時間、例えば１〜１０秒、好ましくは３〜５秒程度経過すると、制御手段42は、散布手段31のポンプ33の作動速度が設定されているかどうかを判断する（ステップ４）。
【００３７】
例えば畦水分調節および畦形成手段22への土付着防止のために、散布手段31で畦形成手段22の表面側に向けて水等の液体を散布する場合、トラクタの運転席に座った作業者は、散布手段31の停止状態で、元畦の土質等に応じて、設定操作手段41の作動速度設定操作部48を回動操作して散布手段31のポンプ33の作動速度を設定する。作業者は、この設定操作を任意のタイミングで行うことができる。
【００３８】
ステップ４において作動速度が設定されていない、換言すれば作動速度設定操作部48の設定位置が目盛り０であると判断した場合には、制御手段42は、設定操作手段41の電源用切換操作部46の操作により電源がオフされたかどうかを判断する（ステップ５）。
【００３９】
このステップ５において、電源がオフされていないと制御手段42が判断した場合にはステップ４に戻り、電源がオフされたと制御手段42が判断した場合にはランプ47を消灯させて制御を終了する。
【００４０】
また、ステップ４において作動速度が設定されている（作動速度設定操作部48の設定位置が目盛り０でない）と判断した場合には、制御手段42は、作動速度設定操作部48により設定された作動速度を得るためのデューティ比でアクチュエータ34（ポンプ33）を作動させる。ポンプ33が作動すると、タンク32内の液体が配管35内を流れて散布ノズル36のノズル開口から吐出され、側面形成体28の表面および上面形成体29の表面に散布される（ステップ６）。クリーニング動作を行う所定時間は、例えば予め固定値に設定されていてもよいし、予め設定された複数の固定値から作業者が選択してもよいし、作業者が任意に設定してもよい。
【００４１】
この状態で、制御手段42は、電源がオフされたかどうかを判断する（ステップ７）。つまり、液体の散布中に作業者が設定操作手段41の電源用切換操作部46を操作して電源をオフにすると、ランプ47が消灯するとともにアクチュエータ34およびポンプ33が停止し（ステップ８）、制御が終了する。
【００４２】
また、電源がオフされていないと判断した場合でも、制御手段42は、作業機本体10が非作業状態となっているかどうかを判断する（ステップ９）。このステップ９では、ステップ２と同様に、回動アーム４（回動機枠６）の回動角度αに対応して設定される検知手段49の抵抗値に基づいて制御手段42が判断することにより行われる。作業機本体10が非作業状態でない、すなわち作業状態であると判断した場合には、ステップ４に戻り、作業機本体10が非作業状態であると判断した場合には、制御手段42がアクチュエータ34（ポンプ）を制御して液体の散布を自動停止し（ステップ10）、ステップ２に戻る。
【００４３】
つまり、畦塗り作業が一時的に中断され、作業機本体10が駆動手段７の収縮に基づく左方回動（一の動作と異なる他の動作）により図１に示す作業状態から図２に示す非作業状態になった際には、作業者による操作を何ら必要とせず、すなわち例えば作業者が電源用切換操作部46のオフ操作等の操作を行わなくても、制御手段42がアクチュエータ34を制御して液体の散布を自動停止する。
【００４４】
詳細には、ステップ10において、制御手段42は、作業機本体10の回動に伴う回動アーム４（回動機枠６）の回動角度αに対応する検知手段49の抵抗値が予め設定された所定角度以上、或いは所定角度以下に対応した値になると（図２）、制御手段42は作業機本体10が作業状態でない、すなわち非作業状態であると判断し、アクチュエータ34への通電阻止によりアクチュエータ34を制御して作動中のポンプ33を自動停止させる。その結果、散布手段31の散布ノズル36，36からの液体の噴射散布が自動的に中断される。
【００４５】
また、作業機本体10による畦塗り作業の再開のために、作業機本体10が作業状態に戻され、作業機本体10の回動に伴う回動アーム４（回動機枠６）の回動角度αに対応する検知手段49の抵抗値が予め設定された所定角度以下、或いは所定角度以上になると（図１）、電源用切換操作部46がオンされたままの状態であれば制御手段42に散布開始の指令が入力されているため、ステップ２の判断により、制御手段42がアクチュエータ34をデューティ比（オンデューティ）１００％で制御してポンプ33を作動させる。その結果、散布手段31の散布ノズル36，36からの液体の調整可能な範囲内での最大散布量での噴射散布によるクリーニング動作が所定時間行われた後、作動速度設定操作部48により設定された作動速度を得るためのデューティ比で散布手段31の散布ノズル36，36からの液体の散布が自動的に再開される。
【００４６】
このように畦塗り機１によれば、制御手段42が、液体の散布開始の指令を受けたと判断した場合にアクチュエータ34を制御して、調整可能な範囲内での最大散布量で液体を所定時間散布させるクリーニング動作を行うため、散布ノズル36，36を分解したり、設定操作手段41の作動速度設定操作部48を手動で操作して液体を一定時間最大散布量で散布したりする等、作業性を低下させることなく、これら散布ノズル36，36の土詰まりを解消できる。よって例えば畦塗り作業の開始時等に、散布ノズル36，36の分解および再組立作業や、設定操作手段41の作動速度設定操作部48を手動で操作して一旦最大散布量に調整した後、所望の散布量に再調整し直す作業等の煩雑な作業を必要とせず、所定時間のクリーニング動作終了後、直ちに畦塗り作業に入ることができ、作業効率を向上できる。
【００４７】
特に、散布手段31の散布ノズル36，36からの液体の散布開始時には前回の液体の散布から時間が経過していることがあり、このような時間の経過に伴い、畦塗り作業時等に散布ノズル36に付着した土が固まってノズル開口が詰まる場合があるため、上記のように所定時間クリーニング作業をすることにより、クリーニング作業後の散布ノズル36，36からの液体の散布を効率よく、確実に行うことができる。
【００４８】
また、この土詰まりを解消した後、設定操作手段41の作動速度設定操作部48による設定散布量で畦形成手段22の側面形成体28の表面および上面形成体29の表面に向けて液体を散布することにより、散布ノズル36からこれら側面形成体28の表面および上面形成体29の表面に向けて散布される液体の散布量を調整でき、よって例えばタンク32内の液体を効率良く散布でき、容量の大きな大型のタンク32を用いる必要がない。
【００４９】
さらに、制御手段42は、作業機本体10が非作業状態から作業状態になったと判断した状態で液体の散布開始の指令を受けたと判断した場合に、散布手段31を制御して、上記クリーニング動作を行うため、より適切なタイミングで散布ノズル36の土詰まりを効果的に解消できる。
【００５０】
つまり、畦を形成する際に田面の隅部等では、作業機本体10を一時的に非作業状態としてトラクタが走行方向を転換する作業が必要になることがある。このような場合、散布ノズル36のノズル開口からの液体の散布を一時的に中止することにより、このノズル開口に畦塗り作業時に付着した土等が固まって、ノズル開口が詰まるおそれがある。よって一時的に非作業状態とした後、再度作業状態とした場合には、所定時間クリーニング作業をすることで、散布ノズル36の土詰まりを、より確実に解消できる。
【００５１】
しかも、作業機本体10が非作業状態になった際には設定操作手段41の作動速度設定操作部48や電源用切換操作部46を操作することなく散布手段31から畦形成手段22の側面形成体28の表面および上面形成体29の表面に向けての液体の散布を自動停止するため、作業機本体10の非作業状態時に散布手段31が畦形成手段22の側面形成体28の表面および上面形成体29の表面に向けて無駄に液体の散布をし続けることを適切に防止できる。よって例えば作業機本体10のポジションを非作業状態とするだけで、散水が自動停止するため、容易に節水が可能となり、畦塗り作業中におけるタンク32への注水回数を減らすことができる。さらには、この状態で作業機本体10のポジションを作業状態とするだけでクリーニング動作の後散水が自動的に再開するため、その都度作業者が設定操作手段41によりポンプ33の作動速度を設定し直したり電源用切換操作部46により電源を再投入したりする等の作業を要さず、作業効率をより向上できる。
【００５２】
また、検知手段49としてポテンショメータ等を用いることにより、畦塗り機１の構成を必要以上に複雑化させたり大幅な設計変更を行ったりすることなく検知手段49を容易に設置できる。
【００５３】
なお、畦塗り機１は、例えば図６および図７に示すように、上下回動により非作業状態と作業状態とを切り換えるものとしてもよい。
【００５４】
この図６および図７に示す畦塗り機１は、走行車であるトラクタ54の前輪（図示せず）および後輪56を有するトラクタ本体57の後端部に上下回動可能に設けられ油圧機構（図示せず）によって作動して上下回動する３点リンクヒッチ部（作業機昇降支持装置）58にクイックカプラ59を介して接続されている。また、畦塗り機１の入力軸15はトラクタ54のＰＴＯ軸60に対して動力伝達手段（図示せず）により接続されている。
【００５５】
３点リンクヒッチ部58は、伸縮可能な１本のトップリンク61と、左右１対で２本のロワリンク62，62とを有している。
【００５６】
そして、作業機本体10は、３点リンクヒッチ部58の作動に基づく下方回動により図６に示す略水平状の作業状態になり、３点リンクヒッチ部58の作動（作業機持上げ動作）に基づく上方回動により図７に示す前後水平方向に対する前下りの傾斜状の非作業状態になる。
【００５７】
また、回動機枠６には、上下動可能な方向輪64が設けられている。さらに、この回動機枠６には、側面形成体28の上部は、回動機枠６のディスクカバー24により覆われている。
【００５８】
また、この畦塗り機１は、上記実施の形態の検知手段49に代えて、作業機本体10の前後水平方向に対する傾斜角度βを検知する検知手段67を有し、この検知手段67に電気的に接続された制御手段42がその検知手段67にて検知された傾斜角度βに応じてアクチュエータ34を制御するものである。
【００５９】
検知手段67は、例えば傾斜センサ或いはポテンショメータ等にて構成されたもので、作業機本体10の機枠２の側面部に固定的に取り付けられている。
【００６０】
なお、図７に示す作業機本体10の非作業状態時における作業機本体10の前後水平方向に対する最小の傾斜角度βは、例えば略１０度である。つまり、作業機本体10は、その傾斜角度βが略１０度以上となった場合に非作業状態となる。なお、この傾斜角度βは、トラクタ54と畦塗り機１とのマッチング状態に応じて設定されるもので、トラクタ54の種類等によっては１０度を越える傾斜角度でもよく、例えば１５度或いは２０度でもよい。また、図６および図７に示す畦塗り機１のその他の構成は、前記図１等に示す畦塗り機１と基本的に同一である。
【００６１】
そして、図６および図７に示す畦塗り機１の場合には、作業機本体10による畦塗り作業が一時的に中断され、作業機本体10がトラクタ54の３点リンクヒッチ部58の作動に基づく上方回動により図６に示す作業状態から図７に示す非作業状態（例えば傾斜角度βが略１０度の状態）になった際には、散布手段31は、作業者による操作を何ら必要とせず、すなわち例えば作業者が散布停止用の操作ボタン等の操作部を操作しなくても、畦形成手段22の側面形成体28の表面および上面形成体29の表面に向けての液体の散布を自動停止する。
【００６２】
つまり、作業機本体10が図７に示す傾斜状の非作業状態（予め設定された最小の傾斜角度β以上の傾斜角度をもつ傾斜状の非作業状態）になると、検知手段67により検知した作業機本体10の傾斜角度βにより、作業機本体10が非作業状態になったと制御手段42が判断し、アクチュエータ34への通電阻止によりアクチュエータ34を制御して作動中のポンプ33を自動停止させる。その結果、散布手段31の散布ノズル36からの液体の噴射散布が自動的に中断される。
【００６３】
なお、作業機本体10による畦塗り作業の再開のために、作業機本体10が作業状態に戻されると、検知手段67により検知した作業機本体10の傾斜角度βにより、作業機本体10が作業状態になったと制御手段42が判断してアクチュエータ34をデューティ比（オンデューティ）１００％で制御してポンプ33を作動させる。その結果、散布手段31の散布ノズル36，36からの液体の調整可能な範囲内での最大散布量での噴射散布によるクリーニング動作が所定時間行われた後、作動速度設定操作部48により設定された作動速度を得るためのデューティ比で散布手段31の散布ノズル36，36からの液体の散布が自動的に再開される。
【００６４】
そして、このような図６および図７に示す畦塗り機１であっても、散布によって散布ノズル36，36を分解することなくこれら散布ノズル36，36の土詰まりを解消でき、例えば畦塗り作業の開始時等に煩雑な散布ノズル36，36の分解および再組立作業を必要とせず、所定時間のクリーニング動作終了後、直ちに畦塗り作業に入ることができ、作業効率を向上できる等、前記図１等に示す畦塗り機１と同様の作用効果をそれぞれ奏することができる。
【００６５】
なお、上記図６および図７に示す実施の形態では、検知手段67の取付け位置は、作業機本体10の傾斜角度βを検知できる任意の位置とすることができる。例えば作業機本体10の機枠２の立上りフレーム部であるマスト部69に取り付けてもよいし（想像線L1）、或いはタンク32を支持する取付フレーム（図示せず）等に取り付けてもよい（想像線L2）。
【００６６】
また、上記各実施の形態では、散布ノズル36が固定された構成について説明したが、散布ノズル36から吐出される液体が畦形成手段22の側面形成体28の表面略全体および上面形成体29の表面略全体に散布されるように、散布ノズル36が畦形成手段22に対して上下方向の回動中心軸線を中心として一定角度（例えば１０〜３６０度）の範囲内で往復回動可能（往復作動可能）、つまり首振り可能になっている構成でもよい。この首振り動作においては、散布ノズル36の回動速度を任意に設定（変更）可能としてもよく、また、往復回動をさせるかどうかを作業者が選択できるように構成してもよく、ポンプ33を連続作動或いは間欠作動させてもよく、そのポンプ33の作動時間を任意に設定（変更）可能としてもよい。さらに、散布ノズル36が往復回動するものではなく、散布ノズル36が側面形成体28の表面や上面形成体29の表面に沿って往復直線移動するもの等でもよい。したがって、クリーニング動作時には、散布ノズル36のノズル開口の土詰まりを解消できれば、例えば散布ノズル36から散布される液体は、畦形成手段22の側面形成体28の表面や上面形成体29の表面に向けていなくてもよい。
【００６７】
また一方、散布手段31は、ポンプ33およびこのポンプ33を作動させるアクチュエータ34を有する構成には限定されず、例えば、制御手段42に接続されこの制御手段42の制御に基づき散布ノズル36のノズル開口の開口量を可変する電動モータ等のアクチュエータを有する構成でもよい。すなわち例えば散布量が少量の場合は、ノズル開口から拡散角度が小さい状態で液体が吐出され、散布量が多量の場合は、ノズル開口から拡散角度が大きい状態で液体が吐出される。
【００６８】
なお、ノズル開口から液体が所望の吐出圧をもって吐出できるように、電源オン時にタンク32内の液体を散布ノズル36に向けて圧送するポンプ等の圧送手段を設けてもよい。
【００６９】
さらに、いずれの実施の形態においても、散布手段31の散布ノズル36の数は任意であり、１個でもよく、３個以上でもよい。
【００７０】
また、設定操作手段41の設定によって液体の散布量を無段階に調整可能な構成には限定されず、その調整が有段階のものであってもよい。
【００７１】
さらに、前記各実施の形態を適宜組み合わせることもできる。例えば、作業機本体10を左右回動および上下回動可能とした場合、検知手段49，67のそれぞれに基づいて作業機本体10を作業状態にあると制御手段42が判断した場合、すなわち検知手段49により作業機本体10の右方回動を検知しかつ検知手段67により作業機本体10の下方回動を検知した場合にのみ、散布手段31からの液体の散布を許可するように構成することで、上記各実施の形態と同様の作用効果を奏することができる。
【００７２】
そして、作業機本体10を作業状態としたり非作業状態としたりする構成としては、作業機本体10を回動させる構成以外でも、互いに異なる任意の動作をさせる構成を適用することができる。
【００７３】
また、作動速度設定操作部48を目盛り０に設定している場合には、クリーニング動作をしないように制御することも可能である。なお、散布ノズル36から散布される液体の散布量を０に設定できない（目盛り０がない）構成、すなわち電源用切換操作部46により電源をオンすると散布手段31から必ず液体を散布する構成とすることもできる。この場合には、上記ステップ４および５の処理が不要となるため、制御をより簡略化できる。
【００７４】
さらに、散布手段31は、畦形成手段22に向けて液体を散布する構成としたが、例えば畦形成手段22の前方の元畦のみに向けて液体を散布する構成、あるいは畦形成手段22と元畦とのそれぞれに向けて液体を散布する構成、すなわち畦形成手段22および元畦の少なくともいずれか一方に向けて液体を散布する構成等、任意の位置に向けて液体を散布する構成としてもよい。
【符号の説明】
【００７５】
１    畦塗り機
10    作業機本体
22    畦形成部としての畦形成手段
31    散布手段
36    散布ノズル
41    設定操作手段
42    制御手段
【図１】
0005394873.tif 000002
【図２】
0005394873.tif 000003
【図３】
0005394873.tif 000004
【図４】
0005394873.tif 000005
【図５】
0005394873.tif 000006
【図６】
0005394873.tif 000007
【図７】
0005394873.tif 000008